(57)【特許請求の範囲】
【請求項１】
所定の無線通信システムが構成された基地局と無線通信を行う移動無線端末装置において、
前記基地局は、前記移動無線端末装置と同様の受信機が内蔵されて構成され、前記移動無線端末装置から送信された信号を受信した時の受信電界レベル信号Ａ（ＲＳＳＩ信号Ａ）を他のデータと一緒に送信し、
前記移動無線端末装置は、
前記基地局と無線信号により送受信を行うアンテナと、
受信および送信の全周波数の前記無線信号の整合を行うアンテナ整合回路と、
容量値が可変とされ前記アンテナのアンテナインピーダンスの整合を制御するアンテナ整合回路制御部と、
当該移動無線端末装置へ入力される受信電界レベル信号Ｂ（ＲＳＳＩ信号Ｂ）と前記受信電界レベルＡとを比較し、該比較の結果に基づき前記アンテナインピーダンスの整合を制御する制御部とを有して構成され、
前記ＲＳＳＩ信号Ａと前記ＲＳＳＩ信号Ｂの大きさを比較することにより、当該移動端末装置が受信中の電界レベルの低下の有無を判別し、該判別に基づき前記アンテナインピーダンスの整合をリアルタイムで可能としたことを特徴とする移動無線端末装置。
【請求項２】
前記アンテナ整合回路と制御部との間に送受信切替部および受信部・送信部をさらに有して構成され、
前記制御部は当該移動無線端末装置へ入力される受信電界レベルＢと基地局の受信電界レベルＡとを比較し、
前記比較の結果に基づき前記容量値を当該移動無線端末装置か前記基地局の受信電界レベルの何れか弱い方の信号の周波数に、最適なアンテナインピーダンスに整合を取り、
無線通信の品質の向上を図ったことを特徴とする請求項１に記載の移動無線端末装置。
【請求項３】
前記アンテナから入力された受信信号は、前記送受信切替部を経て前記受信部へ入力され、
該受信部では、入力された信号の周波数変換処理・復調処理等を行い受信データを制御部へ出力すると共に、受信電界レベル信号（ＲＳＳＩ信号）も前記制御部へ出力し、
前記ＲＳＳＩ信号は、前記制御部においてＡ／Ｄ変換処理・演算処理等を行うことで、前記アンテナでの信号受信時の受信電界の強度（レベル）を算出することを特徴とする請求項２に記載の移動無線端末装置。
【請求項４】
前記受信電界レベル・制御電圧等を記憶するメモリをさらに有し、前記アンテナ整合回路制御部は、印加電圧によって容量値が可変のバリキャップダイオードを設けた可変整合回路を内蔵し、前記制御部による前記整合回路制御部への制御により、前記アンテナインピーダンスの整合を行うことを特徴とする請求項１に記載の移動無線端末装置。
【発明の詳細な説明】
【０００１】
【発明の属する技術分野】
本発明は、移動無線端末装置に関し、特に、内部にインピーダンス整合機能を有する可変整合回路内蔵の移動無線端末装置に関する。
【０００２】
【従来の技術】
図７は、従来の移動無線端末装置の構成ブロック図である。従来の移動無線端末装置は、アンテナ１１、アンテナ整合回路１２、送受信切替部１４、送信部１５、受信部１６、制御部１７、メモリ１８、を有して構成される。
【０００３】
上記構成の移動無線端末装置は、例えば、送受信特性を最大に保つためにインピーダンス整合機能を有して構成される。このような機能を有する移動無線端末装置においては、一般的に受信入力レベルを最大にするために、移動無線端末装置内部にチップコイルやチップコンデンサから成る整合回路を設け、インピーダンスの整合を行っている。
【０００４】
本発明と技術分野の類似する先願発明例１として、特開平７−７３５７号公報の「アンテナ整合回路」がある。本先願発明例１は、インピーダンス不整合によって発生した反射波を、方向性結合器で取り出し、電圧に変換し、整合回路内の可変容量を変化させている。
【０００５】
【発明が解決しようとする課題】
しかしながら、上記従来技術では、固定チップ部品のバラツキがそのまま整合特性のバラツキに反映されてしまったり、受信するチャネルの違いによるインピーダンスの変化に整合回路が対応出来なくなったりする。特に、アンテナの人体接触・物体接触など使用者の使用方法により、インピーダンスの変化が生じて対応出来ないという事態の発生等の様々な問題点を生じさせる。
【０００６】
又、移動無線端末装置と無線通信を行う基地局には、指定のレベルを移動無線端末装置から出力しなければならず、移動無線端末装置内部の整合回路を受信帯域のみでなく送信帯域にもインピーダンスの整合を取らなければならない。このように広い帯域を求められる送受信帯域の場合では、１つの回路でインピーダンスの整合に対応出来ないという問題点もある。
【０００７】
上記の先願発明例１では、受信信号の一方向のチャネル特性のみにおいてインピーダンス整合を行っている。
【０００８】
本発明は、レベルの低い受信電波のチャネルおよび送信電波のチャネルの２つの周波数にアンテナ整合を取り、移動無線端末装置のアンテナ送受信特性を向上させた移動無線端末装置を提供することを目的とする。
【０００９】
【課題を解決するための手段】
かかる目的を達成するため、本発明の移動無線端末装置は、所定の無線通信システムが構成された基地局と無線通信を行う移動無線端末装置であり、基地局は、移動無線端末装置と同様の受信機が内蔵されて構成され、移動無線端末装置から送信された信号を受信した時の受信電界レベル信号Ａ（ＲＳＳＩ信号Ａ）を他のデータと一緒に送信し、移動無線端末装置は、基地局と無線信号により送受信を行うアンテナと、受信および送信の全周波数の無線信号の整合を行うアンテナ整合回路と、容量値が可変とされアンテナのアンテナインピーダンスの整合を制御するアンテナ整合回路制御部と、当該移動無線端末装置へ入力される受信電界レベル信号Ｂ（ＲＳＳＩ信号Ｂ）と受信電界レベルＡとを比較し、該比較の結果に基づき前記アンテナインピーダンスの整合を制御する制御部とを有して構成され、ＲＳＳＩ信号ＡとＲＳＳＩ信号Ｂの大きさを比較することにより、当該移動端末装置が受信中の電界レベルの低下の有無を判別し、該判別に基づきアンテナインピーダンスの整合をリアルタイムで可能とし、無線通信の品質の向上を図ったことを特徴としている。
【００１２】
なお、上記のアンテナ整合回路と制御部との間に送受信切替部および受信部・送信部をさらに有して構成され、制御部は当該移動無線端末装置へ入力される受信電界レベルＢと基地局の受信電界レベルＡとを比較し、比較の結果に基づき容量値を当該移動無線端末装置か基地局の受信電界レベルの何れか弱い方の信号の周波数に、最適なアンテナインピーダンスに整合を取り、無線通信の品質の向上を図り、アンテナから入力された受信信号は、送受信切替部を経て受信部へ入力され、この受信部では、入力された信号の周波数変換処理・復調処理等を行い受信データを制御部へ出力すると共に、受信電界レベル信号（ＲＳＳＩ信号）も前記制御部へ出力し、ＲＳＳＩ信号は、制御部においてＡ／Ｄ変換処理・演算処理等を行うことで、アンテナでの信号受信時の受信電界の強度（レベル）を算出し、受信電界レベル・制御電圧等を記憶するメモリをさらに有し、アンテナ整合回路制御部は、印加電圧によって容量値が可変のバリキャップダイオードを設けた可変整合回路を内蔵し、制御部による整合回路制御部への制御により、アンテナインピーダンスの整合を行うとよい。
【００１３】
【発明の実施の形態】
次に、添付図面を参照して本発明による移動無線端末装置の実施の形態を詳細に説明する。図１から図６を参照すると、本発明の移動無線端末装置の一実施形態が示されている。
【００１４】
図１は、アンテナ整合を変化させて調整する制御部を擁した移動無線端末装置の構成ブロック図を示している。本実施形態の移動無線端末装置は、送受信を行うアンテナ１１と、受信・送信の全周波数の無線信号の整合を行うアンテナ整合回路１２と、アンテナ整合回路制御部１３と、信号の周波数変換処理・変復調処理等を行う送信部１５および受信部１６と、この送信部１５および受信部１６に接続を切り替える送受信切替部１４と、受信電界レベル・制御電圧等を記憶するメモリ１８と、制御部１７とから構成される。
【００１５】
制御部１７は、移動無線端末装置の全体を制御する。特に、受信部１５との間において信号の授受を行うか送信部１６との間において信号の授受を行うかを切り替える、送受信切替部１４の動作の制御を行う。
【００１６】
従来の移動無線端末装置と相違し新たに設けられたアンテナ整合回路制御部１３は、制御部１７から出力される制御電圧を制御信号として、アンテナインピーダンスの整合が制御される。
【００１７】
図２は、図１の部分的な拡大図であり、移動無線端末装置のアンテナ付近の構成ブロック図を示し、送受信を行うアンテナ１１、アンテナ整合回路１２、アンテナ整合回路制御部１３によりアンテナ整合を変化させ調整する機能部分の、構成例を示している。
【００１８】
図２において、アンテナ１１と送受信切替部１４の間には、π型に接続されたチップコイル３１、３２、３３から構成されたアンテナ整合回路１２が配置されている。これらのコイルのインダクタンスを変更することで、アンテナ側と回路側のインピーダンス整合を取ることが出来る。
【００１９】
アンテナ整合回路制御部１３は、バリキャップダイオード（可変容量ダイオード）３４と、抵抗３５と、コンデンサ３６，３７とから構成されている。
【００２０】
このように、印加電圧によって容量値が可変のバリキャップダイオード３４を用いることによって、制御部１７から入力される制御電圧により送信周波数および受信周波数帯域中の任意周波数にインピーダンス整合することが可能となる。
【００２１】
実施例を示す図１において、アンテナ１１から入力された受信信号は、送受信切替部１４を経て受信部１５に入力される。受信部１５では、入力された信号の周波数変換処理・復調処理等を行い受信データを制御部１７へ出力すると共に、受信電界レベル信号（ＲＳＳＩ信号：Ｒｅｃｅｉｖｅｄ  Ｓｉｇｎａｌ  Ｓｔｒｅｎｇｔｈ  Ｉｎｄｉｃａｔｏｒ信号）も制御部１７へ出力する。このＲＳＳＩ信号は、制御部１７においてＡ／Ｄ変換処理・演算処理等を行うことで、アンテナでの信号受信時の受信電界の強度（レベル）を算出することが出来る。なお、受信場所・受信状態・受信時間によって常に変動している。制御部１７は、この移動無線端末装置のＲＳＳＩ信号をメモリ１８に一時的に記憶させる。
【００２２】
又、移動無線端末装置と無線通信を行う基地局には、ここでは図示しないが、移動無線端末装置と同様の受信機が内蔵されており、移動無線端末装置にて送信された信号を基地局が受信した時の受信電界レベルを示す信号（以下、基地局のＲＳＳＩ信号と記す）を、他のデータと一緒に移動無線端末装置に送信している。
【００２３】
基地局から送信された基地局のＲＳＳＩ信号は、当該移動無線端末装置のＲＳＳＩ信号と同様に移動無線端末装置の制御部１７に入力される。制御部１７は、この基地局のＲＳＳＩ信号もメモリ１８に一時的に記憶させる。
【００２４】
メモリ１８には、チャネルの送信周波数・受信周波数毎にアンテナ整合回路制御部１３内のバリキャップダイオード３４を変化させる制御電圧を、あらかじめ記憶させ格納しておく。又、常に測定している当該移動無線端末装置のＲＳＳＩ信号及び基地局のＲＳＳＩ信号も記憶させておく。
【００２５】
制御部１７は、メモリ１８に格納されている当該移動無線端末装置のＲＳＳＩ信号及び基地局のＲＳＳＩ信号の大きさを比較する。この比較の結果、当該移動無線端末装置のＲＳＳＩ信号の方が小さい場合は、移動無線端末装置の受信している電界レベルが低くなっていると判断し、現在使用しているチャネルの受信周波数にアンテナインピーダンスを整合させる。このために、メモリ１８に格納されている本受信チャネルの制御電圧を呼び出し、アンテナ整合回路制御部１３にその制御電圧を供給する制御を行う。又、基地局のＲＳＳＩ信号の方が小さい場合には、基地局の受信している電界レベルが低くなっていると判断し、移動無線端末装置の送信レベルを上げる。また、現在使用しているチャネルの送信周波数にアンテナインピーダンスを整合させる。このために、メモリ１８に格納されている本送信チャネルの制御電圧を呼び出し、アンテナ整合回路制御部１３にその制御電圧を供給する制御を行う。
【００２６】
なお、当該移動無線端末装置のＲＳＳＩ信号と基地局のＲＳＳＩ信号が充分大きい場合は、上記の制御を行わず現状の送信周波数・受信周波数のほぼ中間に整合を取るアンテナインピーダンスにする制御を行う。
【００２７】
当該移動無線端末装置のＲＳＳＩ信号と基地局のＲＳＳＩ信号が小さい場合であっても、２つのＲＳＳＩ信号がほぼ同等の大きさの場合には上記の制御を行わず、現状の送信周波数・受信周波数のほぼ中間に整合を取っているアンテナインピーダンスにする制御を行う。本発明の構成は、以上のようになっている。
【００２８】
（動作例）
図３は、動作例を示すフローチャートである。本動作例において用いられる閾値は、閾値１を１０ｄＢμ、閾値２を５ｄＢ、閾値３を１５ｄＢμ、とした３種類である。
【００２９】
上記設定の閾値１は、当該移動無線端末装置のＲＳＳＩ信号及び基地局のＲＳＳＩ信号の２つのＲＳＳＩ信号において、通話・受信に支障を起こす可能性がある電界レベルである。閾値２は、上記２つのＲＳＳＩ信号の差を閾値２として設けている。閾値３は、受信電界レベルが高くなり、使用上において支障を起こさないと想定できる電界レベルである。なお、品質の安定性をもたせるために、閾値３は閾値１よりも高く設定する。また、閾値１、閾値２、閾値３は、使用条件等を考慮して変更可能とすることが望ましい。
【００３０】
移動無線端末装置のＲＳＳＩ信号及び移動無線端末装置と無線通信を行う基地局のＲＳＳＩ信号の大きさの比較・アンテナ整合回路制御処理は、制御部１７により実行される。図３に示すフローチャートに基づいて、動作例を以下に説明する。
【００３１】
まず、制御部１７は、常時入力された移動無線端末装置のＲＳＳＩ信号（図３および図６のフローチャート上では、端末のＲＳＳＩ信号、と記す）を、メモリ１８に格納する。それと同時に、入力される移動無線端末装置と無線通信を行う基地局のＲＳＳＩ信号も、メモリ１８に格納する（ステップＳ４１）。
【００３２】
次に、メモリ１８に格納された当該移動無線端末装置のＲＳＳＩ信号及び基地局のＲＳＳＩ信号の比較処理を行う。ここで、これら２つのＲＳＳＩ信号において通話・受信に支障を起こす可能性がある電界レベルを、１０ｄＢμの閾値１として設ける。
【００３３】
２つのＲＳＳＩ信号が閾値１の電界レベルを示すＲＳＳＩ信号より大きい場合は、使用上に於いて支障を起こさないと想定でき、本実施形態の制御が必要ではない（ステップＳ４２）。又、２つのＲＳＳＩ信号の差を閾値２として設ける。２つのＲＳＳＩ信号の差が閾値２以内であった場合は、現状の送信周波数・受信周波数のほぼ中間に整合を取っているアンテナインピーダンスであり、この状態ではバランスが取れていると想定でき、本ステップ以下の制御は必要でないと判断される（ステップＳ４３）。
【００３４】
どちらか一方または両方のＲＳＳＩ信号が閾値１の電界レベルを示すＲＳＳＩ信号より小さく（ステップＳ４２／ＹＥＳ）、２つのＲＳＳＩ信号の差が閾値２以上（ステップＳ４３／ＹＥＳ）の場合には、更に、どちらのＲＳＳＩ信号が小さいかが判断される（ステップＳ４４）。
【００３５】
ステップＳ４４において、当該移動無線端末装置のＲＳＳＩ信号の方が小さい場合には、メモリ１８に格納されている現使用のチャネルの受信周波数に対するアンテナ整合回路制御部１３内のバリキャップダイオード３４を変化させる制御電圧のデータを呼び出し（ステップＳ４５）、アンテナ整合回路制御部１３に制御電圧を供給し、アンテナインピーダンスの整合を取り（ステップＳ４７）、受信の品質の向上を図る。又、基地局のＲＳＳＩ信号の方が小さい場合には（ステップＳ４４／ＮＯ）、メモリ１８に格納されている現使用のチャネルの送信周波数に対するアンテナ整合回路制御部１３内のバリキャップダイオード３４を変化させる制御電圧のデータを呼び出し（ステップＳ４６）、アンテナ整合回路制御部１３に制御電圧を供給し、アンテナインピーダンスの整合を取り（ステップＳ４７）、通話の品質の向上を図る。
【００３６】
更に、アンテナインピーダンス整合を取った後の当該移動無線端末装置のＲＳＳＩ信号と基地局のＲＳＳＩの信号を、再度メモリ１８に格納する（ステップＳ４８）。ここで又、受信電界レベルが高くなり、使用上において支障を起こさないと想定できる電界レベルを、１５ｄＢμの閾値３として設ける。
【００３７】
当該移動無線端末装置のＲＳＳＩ信号と基地局のＲＳＳＩの信号の両方のＲＳＳＩ信号が、閾値３以上の電界レベルを示すＲＳＳＩ信号に復帰した場合（ステップＳ４９）は、電界レベルが安定し使用上において通話切れ・回線品質の劣化などの支障が起こらないと想定できる。よって、アンテナ整合回路制御部１３に供給する制御電圧を元に戻し、現状の送信周波数・受信周波数のほぼ中間に整合を取っているアンテナインピーダンスに戻して（ステップＳ５０）、本処理を終了させる。
【００３８】
上記の動作例によれば、移動無線端末装置の受信電界強度が弱い環境下においては、受信周波数にインピーダンスの整合を取れるような、アンテナ整合を変化し調整出来る回路及び制御部を設けることにより、受信電界レベルを上げて受信品質を向上させることが出来る。
【００３９】
移動無線端末装置と無線通信を行う基地局の受信電界強度が弱い環境下においては、送信周波数にインピーダンスの整合を取れるようなアンテナ整合を変化して調整出来る回路及び制御部を設けることになり、移動無線端末装置の送信レベルを上げて通話品質を向上させることが出来る。
【００４０】
チップコイル等だけで構成されたアンテナ整合回路１２では、部品のバラツキがそのままインピーダンスの整合のバラツキに反映されてしまうが、本内容のアンテナ整合回路制御部１３を設けることで、部品のバラツキを充分補って補正することが可能となる。また、チャネルの送信周波数・受信周波数に対するアンテナ整合回路制御部１３を制御する制御電圧を、メモリ１８にあらかじめ格納しておく。このことで、アンテナ整合回路制御部１３を制御し、インピーダンスの変化に充分対応した整合を取ることが出来る。
【００４１】
（他の実施例）
他の実施例として、上記の動作例に更に送信出力レベルの制御を追加した場合について説明する。
【００４２】
制御部１７は、メモリ１８に格納されている移動無線端末装置のＲＳＳＩ信号及び移動無線端末装置と無線通信を行う基地局のＲＳＳＩ信号の大きさを、それぞれ閾値１と比較する。基地局のＲＳＳＩ信号のみが閾値１よりも小さい場合は、アンテナ整合回路の制御は行わず、送信部１５内の可変利得増幅器５２の利得制御電圧を変化する制御を行い、アンテナ１１から送信する電界レベルを上げて、通話の品質の向上を図る。但し、送信レベルの可変制御は、移動無線端末装置の規格を満たす範囲内にする。
【００４３】
まず、図４を用いて送信部１５の構成を説明する。制御部１７から送られた送信信号は、変調器５１により変調されて可変利得増幅器５２に入力される。更に、可変利得増幅器５２により制御部１７から入力される利得制御電圧で増幅された後、分配器５３によって分配され、一方の出力はアンテナ１１へと導かれる送受信切替部１４に入力される。他方の出力は、出力信号レベルを検出する検波部５４で検波されて、検波電圧として制御部１７に入力される。
【００４４】
メモリ１８には、通常のＡＬＣ（ａｕｔｏｍａｔｉｃ  ｌｅｖｅｌ  ｃｏｎｔｒｏｌ／自動レベル制御）動作を行う基準電圧▲１▼の他に、基地局のＲＳＳＩ信号が小さい場合に可変利得増幅器５２の利得を高くする、利得制御電圧を出力するための基準電圧▲２▼を設けておく。基準電圧▲２▼は、基準電圧▲１▼よりも大きくするが、送信出力レベルが移動無線端末装置の規格を満たす範囲内に設定しておく。
【００４５】
図５に、移動無線端末装置の送信出力レベルの規格範囲を示す。規格範囲は、指定された送信出力レベル値に対して、＋２ｄＢ、−４ｄＢ以内に定められている。基準電圧▲１▼は、通常、指定された送信出力レベル値になるような値に設定される。そのため、送信出力レベルが指定された送信出力レベル値から２ｄＢ程度以内の値になるように、基準電圧▲２▼を設定する。
【００４６】
制御部１７は、入力された検波電圧とメモリ１８に格納されている基準電圧を比較し、検波電圧と基準電圧が等しくなるように可変利得増幅器５２の利得を制御する利得制御電圧を可変利得増幅器５２に供給する。この基準電圧を変化することで、送信出力レベルのパワーダウン・パワーアップ制御を行うことが出来る。
【００４７】
制御部１７では、入力された検波電圧の変動に対応した利得制御電圧で可変利得増幅器５２を制御し、送信信号のＡＬＣ動作の制御を行う。
【００４８】
以上の動作を図６に示すフローチャートに基づいて説明する。まず、制御部１７は常時入力された当該移動無線端末装置のＲＳＳＩ信号をメモリ１８に格納する。それと同時に入力される基地局のＲＳＳＩ信号もメモリ１８に格納する（ステップＳ６１）。次に、基地局のＲＳＳＩ信号と当該移動無線端末装置のＲＳＳＩ信号が共に閾値１の電界レベルを示すＲＳＳＩ信号より小さく、且つ両方のＲＳＳＩ信号の差が閾値２より大きい場合（ステップＳ６２・Ｓ６３）は、どちらのＲＳＳＩ信号が大きいかを比較する（ステップＳ６４）。
【００４９】
当該移動無線端末装置のＲＳＳＩ信号の方が小さい場合は、メモリ１８に格納されている現使用のチャネルの受信周波数に対するアンテナ整合回路制御部１３内のバリキャップダイオード３４を変化させる制御電圧をアンテナ整合回路制御部１３に供給し、アンテナインピーダンスの整合を取り（ステップＳ６５）、受信の品質の向上を図る。更に、メモリ１８に格納されている可変利得増幅器５２の利得を高くする利得制御電圧を出力するための基準電圧▲２▼を、ＡＬＣ動作の基準電圧に切り替えて、実際にアンテナ１１から出力する送信レベルを上げて（ステップＳ６６）、通話の品質の向上を図る。ステップＳ６３及びステップＳ６４を満たさない場合（ＮＯ）には、基準電圧▲２▼に切り替え、出力する送信レベルを上げる動作のみ行う（ステップＳ６６）。
【００５０】
又、基地局のＲＳＳＩ信号は閾値１の電界レベルを示すＲＳＳＩ信号より大きいが（ステップＳ６２／ＮＯ）、当該移動無線端末装置のＲＳＳＩ信号が閾値１の電界レベルを示すＲＳＳＩ信号より小さく、且つ両方のＲＳＳＩ信号の差が閾値２より大きい場合（ステップＳ６７／ＹＥＳ）は、メモリ１８に格納されている現使用のチャネルの受信周波数に対するアンテナ整合回路制御部１３内のバリキャップダイオード３４を変化させる制御電圧をアンテナ整合回路制御部１３に供給し、アンテナインピーダンスの整合を取り（ステップＳ６８）、受信の品質の向上を図る。
【００５１】
受信周波数にアンテナ整合を取っているので送信出力が低くなる可能性があるため、可変利得増幅器５２の利得を高くする利得制御電圧を出力する基準電圧▲２▼をＡＬＣ動作の基準電圧に切り替え、出力する送信レベルを上げる動作も行い（ステップＳ６６）、さらに通話の品質の向上を図る。
【００５２】
更に制御部１７は、上記の制御後に再度、当該移動無線端末装置のＲＳＳＩ信号と基地局のＲＳＳＩの信号をメモリ１８に格納する（ステップＳ６９）。当該移動無線端末装置のＲＳＳＩ信号と基地局のＲＳＳＩの信号の両方のＲＳＳＩ信号が、閾値３以上の電界レベルを示すＲＳＳＩ信号に復帰した場合は（ステップＳ７０／ＹＥＳ）、電界レベルが安定し使用上に於いて通話切れ・回線品質の劣化などの支障が起こらないと想定できる。このため、アンテナ整合を送信周波数・受信周波数の中間整合に戻す。又、ＡＬＣ動作を制御する基準電圧を基準電圧▲１▼に戻し（ステップＳ７１）、本処理を終了させる。
【００５３】
制御部１７は、入力される移動無線端末装置の受信電界レベルと基地局の受信電界レベルを比較し、当該移動無線端末装置か基地局のどちらかの受信電界レベルの弱い方の周波数に、最適なアンテナインピーダンスの整合を取るように、印加電圧によって容量値が可変のバリキャップダイオード３４を設けてあるアンテナ整合回路制御部１３の制御を行い、受信電界レベルを上げて受信品質・通話品質を向上させることが出来る。
【００５４】
更に、基地局の受信電界レベルが弱い場合には、検波電圧と比較する基準電圧を制御し、利得制御電圧を変化させて可変利得増幅器５２の利得を高くする制御を行い、送信出力レベルを上げて通話品質を向上させることが出来る。
【００５５】
上記の実施形態によれば、移動無線端末装置の受信レベルと基地局側の受信レベルを比較し、移動無線端末装置内部のアンテナ整合回路制御部１３に印加電圧によって容量値が可変のバリキャップダイオード３４を設け、この可変制御により上記２つのレベルの低い受信電波のチャネル・送信電波のチャネルの周波数にアンテナ整合を取り、移動無線端末装置のアンテナ送受信特性を向上させることが出来る。
【００５６】
尚、上述の実施形態は本発明の好適な実施の一例である。但し、これに限定されるものではなく、本発明の要旨を逸脱しない範囲内において種々変形実施が可能である。
【００５７】
【発明の効果】
以上の説明より明らかなように、本発明の移動無線端末装置は、受信電界レベル・制御電圧等を記憶する基地局と無線信号により送受信を行い、受信および送信の全周波数の無線信号の整合を行う。入力される受信電界レベルと基地局の受信電界レベルとを比較し、この比較結果に基づきアンテナインピーダンスの整合を制御する。このアンテナのアンテナインピーダンスの整合の制御において、基地局には移動無線端末装置と同様の受信機が内蔵されて構成され、移動無線端末装置にて送信された信号を基地局が受信した時の受信電界レベルを示す信号（基地局のＲＳＳＩ信号）を、他のデータと一緒に移動無線端末装置に送信する。
本手順により、移動無線端末装置のアンテナ送受信特性を向上させることが可能となる。
【図面の簡単な説明】
【図１】本発明の移動無線端末装置の実施形態を示すブロック構成図である。
【図２】移動無線端末装置のアンテナ付近の構成及び実施例を示す図１の拡大図である。
【図３】動作例を示すフローチャートである。
【図４】送信部のより詳細な構成例を示すブロック図である。
【図５】移動無線端末装置の送信出力レベルの規格範囲を示す特性図である。
【図６】他の実施例の動作例を示すフローチャートである。
【図７】従来の移動無線端末装置の構成例を示すブロック図である。
【符号の説明】
１１  アンテナ
１２  アンテナ整合回路
１３  アンテナ整合回路制御部
１４  送受信切替部
１５  送信部
１６  受信部
１７  制御部
１８  メモリ
２４  バリキャップダイオード
３１、３２、３３  チップコイル
３４  バリキャップダイオード（可変容量ダイオード）
３５  抵抗
３６、３７  コンデンサ
５１  変調器
５２  可変利得増幅器
５３  分配器
５４  検波部
【図１】
0003623731.tif 000002
【図２】
0003623731.tif 000003
【図３】
0003623731.tif 000004
【図４】
0003623731.tif 000005
【図５】
0003623731.tif 000006
【図６】
0003623731.tif 000007
【図７】
0003623731.tif 000008